(57)【要約】【課題】  ハウスにおいて、温風暖房機、炭酸ガス発生機、及びヒートポンプを利用し、作物に最適な生育環境を図る装置を、本出願人が提案する、温風暖房機を中継基地として、ハウス内に、ＣＯ２供給と、冷暖気に空調された空気供給を図る。複合農業機械を有効利用する。本発明は、この文装置をさらに発展し、かつ温風暖房機の構造を有効利用する。温風暖房機の稼動時、又は停止時の何れにおいても、通路とファン、及び通路の排出口に設けられたダクトを有効利用し、効率的に、作物にＣＯ２と、ミキシング空気を供給する。【解決手段】  本発明は、ハウスに、温風暖房機、炭酸ガス発生機、ヒートポンプを設置し、炭酸ガス発生機、及びヒートポンプの各配管を、温風暖房機の吸込口に連繋し、各配管からのＣＯ２、及び/又は、暖冷気を、温風暖房機に送風し、温風暖房機のファン、内部通路、排出口を利用し、排出口に設けたダクトにより、ハウス内に供給可能とする温風暖房機利用の作物環境改善装置。各機械を効率的に活用し、作物環境改善が図れる。【選択図】      図１
2014140329.tif 000002
【特許請求の範囲】
【請求項１】
ハウスに、温風暖房機、及び炭酸ガス発生機、並びにヒートポンプを、それぞれ設置し、この炭酸ガス発生機、及びヒートポンプに、それぞれ設けた配管を、前記温風暖房機の吸込口に連繋し、この各配管からのＣＯ２、及び/又は、暖冷気を、前記温風暖房機に送風し、この温風暖房機のファン、内部通路、並びに排出口を利用し、この排出口に設けたダクトにより、前記ハウス内に供給可能とする構成とした温風暖房機利用の作物環境改善装置。
【請求項２】
前記炭酸ガス発生機、及び前記ヒートポンプに、それぞれ設けた配管を、前記温風暖房機の吸込口に連繋する構造が、前記温風暖房機の四周側面隠蔽用の受入ユニットとする構成とした、請求項１に記載の温風暖房機利用の作物環境改善装置。
【請求項３】
前記温風暖房機の吸込口が、前記受入ユニットに開口する構成とした、請求項１に記載の温風暖房機利用の作物環境改善装置。
【請求項４】
前記炭酸ガス発生機、及び前記ヒートポンプの稼動と、前記温風暖房機の稼動を、個別稼動制御するか、連動稼動制御するか、を選択可能とする構成とした、請求項１に記載の温風暖房機利用の作物環境改善装置。
【請求項５】
前記温風暖房機の四周側面隠蔽用の受入ユニットに、前記炭酸ガス発生機、及び前記ヒートポンプに、それぞれ設けた配管を接続する構成とした、請求項２に記載の温風暖房機利用の作物環境改善装置。
【請求項６】
前記温風暖房機の四周側面隠蔽用の受入ユニットは、この四周側面に立設した四本の縦杆と、この縦杆に支持する四本の横杆、及びジョイント具、並びにカバーでなる構成とした、請求項２に記載の温風暖房機利用の作物環境改善装置。
【請求項７】
前記温風暖房機の四周側面隠蔽用の受入ユニットに、このユニットの天井を覆うカバーを設置する構成とした、請求項２に記載の温風暖房機利用の作物環境改善装置。
【発明の詳細な説明】
【技術分野】
【０００１】
本発明は、例えば、温風暖房機の停止（未稼動）時において、例えば、受入ユニットと、温風暖房機のファンと通路、及び吸込口並びに排出口と、必要により、ハウス内ダクトを利用し、作物環境改善を図る、温風暖房機利用の作物環境改善装置に関する。
【背景技術】
【０００２】
ハウスにおいて、温風暖房機、炭酸ガス発生機、及びヒートポンプ（複合農業機械とする）を利用し、作物に最適な生育環境を図る装置としては、本出願人が提案する特開２０１２−１５２１７６号公報の「建屋の空調機」が挙げられる（文献（１））。この発明は、温風暖房機を中継基地として、ハウス内に、ＣＯ２供給と、冷暖気に空調された空気（ミキシング空気）供給を図る構造である。従って、複合農業機械を有効利用する。本発明は、この文献（１）をさらに発展し、かつ温風暖房機の構造を有効利用する。例えば、温風暖房機の稼動時、又は停止時の何れにおいても、通路とファンを利用するとともに、通路の排出口に設けられたダクトを有効利用することで、効率的に、作物にＣＯ２と、ミキシング空気を供給する。
【０００３】
また、その他の関連文献として、例えば、実開平７−４２６０４号公報の「ハウス内におけるＣＯ２供給兼暖房装置」が挙げられる（文献（２））。この考案は、煙突の排気ガスを、温風暖房機の吸込口に供給し、通路と排出口よりハウス内に供給する。従って、この考案は、煙突と温風暖房機の組合せである。また、特開昭６２−１６６８２０号公報の「燃焼排気ガスのＣＯ２を貯留する装置をつけた温風の空調機」が挙げられる（文献（３））。この発明は、人工照明用のエンジンと発電機を備えた空調機において、エンジンの排気ガスと熱交換を介して昇温するとともに、この燃焼ガスを貯留し、必要とする時に、温風発生機に送り、通路と排出口より、ハウスの作物に供給する。従って、この発明は、エンジンと発電機、並びに温風発生機の組合せである。
【０００４】
【特許文献１】特開２０１２−１５２１７６号公報
【特許文献２】実開平７−４２６０４号公報
【特許文献３】特開昭６２−１６６８２０号公報
【発明の概要】
【発明が解決しようとする課題】
【０００５】
本発明は、従来技術（文献（１））の活用であって、複合農業機械として採用される温風暖房機の構造を有効利用する。例えば、温風暖房機の稼動時、又は停止時の何れにおいても、その通路とファンを利用（有効利用）するとともに、通路の排出口に設けられたダクトを利用（有効利用）することで、ハウス内の作物に、ＣＯ２と、ミキシング空気（ＣＯ２混合空気と、混合暖気、又は混合冷気）を、効率的、かつ確実に供給する。
【課題を解決するための手段】
【０００６】
請求項１〜７は、複合農業機械の温風暖房機の構造を有効利用する。例えば、温風暖房機の稼動時、又は停止時の何れにおいても、炭酸ガス発生機で生成されるＣＯ２、及び/又は、ヒートポンプで生成される暖冷気（暖冷空気）を、温風暖房機の通路とファンを利用し、かつ通路の排出口に設けた、ハウス内に配備したダクトを利用することで、温風暖房機の稼動時、又は停止時の何れにおいても、ハウスの戻り空気（受入ユニットへの戻り空気）と、炭酸ガス発生機で生成されるＣＯ２、及び/又は、ヒートポンプで生成される暖冷気を混合し、ハウス内の作物に、ＣＯ２混合空気、及び/又は、混合暖気、混合冷気を、効率的、かつ確実に供給する。
【０００７】
請求項１は、ハウスに、温風暖房機、及び炭酸ガス発生機、並びにヒートポンプを、それぞれ設置し、この炭酸ガス発生機、及びヒートポンプに、それぞれ設けた配管を、前記温風暖房機の吸込口に連繋し、この各配管からのＣＯ２、及び/又は、暖冷気を、前記温風暖房機に送風し、この温風暖房機のファン、内部通路、並びに排出口を利用し、この排出口に設けたダクトにより、前記ハウス内に供給可能とする構成とした温風暖房機利用の作物環境改善装置である。
【０００８】
請求項２は、前記炭酸ガス発生機、及び前記ヒートポンプに、それぞれ設けた配管を、前記温風暖房機の吸込口に連繋する構造が、前記温風暖房機の四周側面隠蔽用の受入ユニットとする構成とした、請求項１に記載の温風暖房機利用の作物環境改善装置である。
【０００９】
請求項３は、前記温風暖房機の吸込口が、前記受入ユニットに開口する構成とした、請求項１に記載の温風暖房機利用の作物環境改善装置である。
【００１０】
請求項４は、前記炭酸ガス発生機、及び前記ヒートポンプの稼動と、前記温風暖房機の稼動を、個別稼動制御するか、連動稼動制御するか、を選択可能とする構成とした、請求項１に記載の温風暖房機利用の作物環境改善装置である。
【００１１】
請求項５は、前記温風暖房機の四周側面隠蔽用の受入ユニットに、前記炭酸ガス発生機、及び前記ヒートポンプに、それぞれ設けた配管を接続する構成とした、請求項２に記載の温風暖房機利用の作物環境改善装置である。
【００１２】
請求項６は、前記温風暖房機の四周側面隠蔽用の受入ユニットは、この四周側面に立設した四本の縦杆と、この縦杆に支持する四本の横杆、及びジョイント具、並びにカバーでなる構成とした、請求項２に記載の温風暖房機利用の作物環境改善装置である。
【００１３】
請求項７は、前記温風暖房機の四周側面隠蔽用の受入ユニットに、このユニットの天井を覆うカバーを設置する構成とした、請求項２に記載の温風暖房機利用の作物環境改善装置である。
【発明の効果】
【００１４】
請求項１の発明は、ハウスに、温風暖房機、及び炭酸ガス発生機、並びにヒートポンプを、それぞれ設置し、炭酸ガス発生機、ヒートポンプの配管を、温風暖房機の吸込口に連繋し、各配管からのＣＯ２、及び/又は、暖冷気を、温風暖房機のファン、内部通路、並びに排出口と、排出口に設けたダクトにより、ハウス内に供給可能とする構成としたので、温風暖房機の稼動時、又は停止時の何れにおいても、ハウスの戻り空気と、炭酸ガス発生機で生成されるＣＯ２、及び/又は、ヒートポンプで生成される暖冷気を混合し、ハウス内の作物に、ＣＯ２混合空気、及び/又は、混合暖気、混合冷気を、効率的、かつ確実に供給できる等の特徴がある。
【００１５】
請求項２の発明は、炭酸ガス発生機、及びヒートポンプの配管を、温風暖房機の吸込口に連繋する構造が、温風暖房機の四周側面隠蔽用の受入ユニットであり、現場で組付けできることと、従来の複合農業機械にも設置できる等の特徴がある。また、四周側面隠蔽用の受入ユニットであり、ファンへの負担軽減と、省電力化、並びにハウス内空気とのミキシング調整が可能となる等の特徴がある。
【００１６】
請求項３の発明は、温風暖房機の吸込口が、受入ユニットに開口し、ＣＯ２、及び／又は、暖冷気を、温風暖房機を介して、ハウスの作物、及び／又は、果実に提供できる等の特徴がある。
【００１７】
請求項４の発明は、炭酸ガス発生機、及びヒートポンプの稼動と、温風暖房機の稼動を、個別稼動制御するか、連動稼動制御するか、を選択可能とする構成であり、炭酸ガス発生機で生成されるＣＯ２、及び/又は、ヒートポンプで生成される暖冷気を、適宜、選択できる特徴がある。
【００１８】
請求項５の発明は、温風暖房機の四周側面隠蔽用の受入ユニットに、炭酸ガス発生機、及びヒートポンプに、それぞれ設けた配管を接続する構成であり、現場で組付けできることと、従来の複合農業機械にも設置できる等の特徴がある。
【００１９】
請求項６の発明は、温風暖房機の四周側面隠蔽用の受入ユニットは、四周側面に立設した四本の縦杆と、縦杆に支持する四本の横杆、及びジョイント具、並びにカバーでなる構成であり、現場で組付けできることと、従来の複合農業機械にも設置できる等の特徴がある。
【００２０】
請求項７の発明は、温風暖房機の四周側面隠蔽用の受入ユニットに、ユニットの天井を覆うカバーを設置する構成であり、炭酸ガス発生機で生成されるＣＯ２、及び/又は、ヒートポンプで生成される暖冷気を、有効利用できる特徴がある。
【図面の簡単な説明】
【００２１】
【図１】ハウス内に温風暖房機を、ハウス外に炭酸ガス発生機、及びヒートポンプを、それぞれ設置した一例を示す縮尺概念図
【図２−１】温風暖房機の一例を示す一部欠截の正面図
【図２−２】温風暖房機の一例を示す一部欠截の背面図
【図２−３】温風暖房機の一例を示す平面図
【図３−１】温風暖房機と炭酸ガス発生機の関係の一例を示す正面図
【図３−２】温風暖房機と炭酸ガス発生機の関係の一例を示す背面図
【図３−３】温風暖房機と炭酸ガス発生機の関係の一例を示す平面図
【図４−１】温風暖房機とヒートポンプの関係の一例を示す正面図
【図４−２】温風暖房機とヒートポンプの関係の一例を示す背面図
【図４−３】温風暖房機とヒートポンプの関係の一例を示す平面図
【図５−１】温風暖房機が稼動中において、炭酸ガス発生機、及びヒートポンプが連動稼動制御を示すフローチャートである
【図５−２】温風暖房機が稼動中において、炭酸ガス発生機の、個別稼動制御を示すフローチャートである
【図５−３】温風暖房機が稼動中において、ヒートポンプの、個別稼動制御を示すフローチャートである
【発明を実施するための形態】
【００２２】
本発明では、図１に示した一例の如く、ハウスＡ内に、温風暖房機Ｂを、炭酸ガス発生機Ｃ、及びヒートポンプＤの室内機７（室外機「言葉のみ図示する」）を、それぞれ設置する。
【００２３】
図３−１〜図３−３に示した温風暖房機Ｂは、ハウスＡの妻面Ａ１内方近傍に設けられており、その暖房機本体１内に、重油を燃料とするバーナ１００と、このバーナ１００が設置される釜１０１、及び空気通路１０２（ＣＯ２混合空気、及び/又は、混合暖気、混合冷気、或いはハウスＡの空気等の空気通路）と、上部に一個、又は複数の吸込口１０３（後述する受入ユニット２に開口する）、並びに通路１０２に繋がる、ハウスＡに向かって開口する一個、又は複数の排出口１０４を有する。従って、後述する、炭酸ガス発生機Ｃ、及びヒートポンプＤの室内機７に設けた第一・第二配管６、８を介して、受入ユニット２（ミキシングエリアＥ）に導入されたＣＯ２、及び/又は、暖冷気は、ハウスＡからの戻り空気等とミキシングされて、ＣＯ２混合空気、及び/又は、混合暖気、混合冷気、或いは、ストレートなハウスＡの戻り空気となり、吸込口１０３から通路１０２に導入される。その後、ＣＯ２混合空気、及び/又は、混合暖気、混合冷気、或いはハウスＡの戻り空気等は、排出口１０４よりダクトＦに到る。また、炭酸ガス発生機Ｃでは、通路１０２において釜１０１との熱交換を介して、昇温された後、排出口１０４から、ダクト２に排気（給気）される使用状態もあり得る。また、図３−１の如く、炭酸ガス発生機Ｃと、第一配管６は、簡易形として、連結しない構造も可能であり、既設の炭酸ガス発生機Ｃを利用することも可能であり、重宝する（他のヒートポンプＤも同じ）。
【００２４】
この受入ユニット２は、温風暖房機Ｂの四周側面Ｂ１隠蔽用であって、例えば、四周Ｂ１側面に立設した四本の縦杆２００（縦枠）と、この縦杆２００に支持する四本の横杆２０１（横枠）、又はジョイント具２０２で、枠組構成し、この枠組の周辺を隠蔽するビニール製のカバー２０３（遮蔽カバー等のカバー）でなり、現場組付けを主体とする。例えば、縦杆２００を立設し、この縦杆２００に横杆２０１をジョイント具２０２により、枠組みした後、その周辺にカバー２０３を取付けて構成する。尚、図示の如く、カバー２０３は、温風暖房機Ｂの上部、即ち、排出口１０４の上側で、バーナ１００を塞がない構造とする（バーナ１００を視認でき、かつ操作ができることを意図する）。この図示は一例であり、必要により、枠組みした後、その周辺と、天井の全部（ハウスＡ内空気導入用開口を設ける）、又はその一部にカバー２０３を取付ける構成も可能である。また、図示しないが、受入ユニット２は、予め、縦杆２００と横杆２０１をジョイント具２０２で、一体化し、かつカバー２０３を取付けた構造、一体化した構造であって、かつ折畳形状等も可能である。この受入ユニット２（カバー２０３）には、接続用の開口３が複数個設けられたおり、例えば、開口３は、温風暖房機Ｂの吸込口１０３上方に位置する箇所とし、後述する、ＣＯ２混合空気、及び／又は、混合暖冷気を、温風暖房機Ｂの吸込口１０３に、確実に供給する。また、図示しないが、温風暖房機Ｂの上部を、カバー２０３で覆うことで、このＣＯ２、及び／又は、暖冷気と、ハウスＡ内空気のミキシングの区画されたミキシングエリアＥを確保するとともに、ハウスＡの戻り空気と、ＣＯ２、及び／又は、暖冷気の混合の効率化、促進を図る。この例では、ミキシングエリアＥの上下であって、カバー２０３と、温風暖房機Ｂの四周側面Ｂ１との間は、隙間Ｂ３が形成されている。この隙間Ｂ３は、ハウスＡの空気を、ミキシングエリアＥに取込み、受け入れたＣＯ２、又は暖冷気とのミキシングを図る。また、この隙間Ｂ２を設けることで、後述するファン１０５に負担を掛けることなく、ＣＯ２混合空気、及び／又は、混合暖冷気として、温風暖房機Ｂに取込み、かつハウスＡの複数本のダクトＦに送込む構造である。また、このカバー２０３の天井を開放し、負担軽減を図る他の理由は、例えば、棚下栽培において、棚下にＣＯ２混合空気、及び／又は、混合暖冷気を、ダクト送風しない方式（ダクトレス方式）に適することである。尚、図示しないが、カバー２０３は、空気の流れが可能なネット等の素材も採用できる。
【００２５】
図３−１〜図３−２に示した炭酸ガス発生装置Ｃは、ハウスＡの妻面Ａ１内方近傍に、かつ温風暖房機Ｂに併設するように設けられており、この炭酸ガス発生装置Ｃは、缶体５と、この缶体５に設けたバーナ５０１と、図示しない燃焼釜、ファン、吸込開口５０２、並びに吹出開口５０３等を有してあり、燃焼釜で生成されたＣＯ２を、吸込開口５０２より吸込んだ外気とミキシング、及び／又は、冷却し、ファン（図示しない）を利用し、吹出開口５０３に到らしめる。この吹出開口５０３に、第一配管６の一方端を接続する。そして、この第一配管５の他方端は、受入ユニット２の開口３に接続する。従って、炭酸ガス発生装置Ｃで生成されたＣＯ２は、第一配管６と開口３を経由し、ミキシングエリアＥに供給される。このミキシングエリアＥのＣＯ２は、ハウスＡ内気とミキシングされ、ＣＯ２を含んだ混合空気（ＣＯ２混合空気）が生成される。ＣＯ２混合空気は、ファン１０５の吸引力で、吸込口１０３より温風暖房機Ｂ内に至る。この温風暖房機Ｂに導入されたＣＯ２混合空気は、通路１０２を通過し、その排出口１０４に到った後、この排気口１０３に連設されている多数本のダクトＦから、ハウスＡ内の作物に供給される。光合成に役立ち、かつ作物、及び／又は、果実の生長を促す利点がある。
【００２６】
図３−１〜図３−２に示したヒートポンプＤの室内機７は、ハウスＡの妻面Ａ１内方近傍に、かつ温風暖房機Ｂに併設するように設けられており、図示しない室外機は、ハウスＡ外側に設けられる。この室内機７は、暖房サイクルと冷房サイクルを切換え、図示しない、熱交換器を介して、暖気、又は冷気を生成する。この室内機７に設けた吹出開口７００に、第二配管８の一方端を接続する。そして、この第二配管８の他方端は、受入ユニット２の開口３に接続する。従って、室内機７で生成された冷気、又は温気は、第二配管８と開口３を経由し、ミキシングエリアＥに供給される。このミキシングエリアＥの冷気、又は温気は、ハウスＡ内気とミキシングされ、混合暖気、又は混合冷気が生成される。混合暖気、又は混合冷気は、ファン１０５の吸引力で、吸込口１０３より温風暖房機Ｂ内に至る。この温風暖房機Ｂに導入された混合暖気、又は混合冷気は、通路１０２を通過し、その排出口１０４に到った後、この排気口１０３に連設されている多数本のダクトＦから、ハウスＡ内の作物に供給される。作物の雰囲気温度の生成に役立ち、かつ作物、及び／又は、果実の生長を促す利点がある。
【００２７】
図５−１の状況では、温風暖房機Ｂに装備したファン１０５を稼動し、炭酸ガス発生機Ｃで生成したＣＯ２、及びヒートポンプＤで変換した暖冷気を、ハウスＡに供給する一例である。温風暖房機Ｂのファン１０５が稼動中において、炭酸ガス発生機ＣからのＣＯ２、及びヒートポンプＤからの暖冷気が、第一配管６と第二配管８を経由し、受入ユニット２のミキシングエリアＥに到り、ミキシングエリアＥに開口する吸込口１０３より通路１０２を経由し、その排出口１０４からダクトＦに到るフローチャートを示している。スタート（ＳＴ−１）→ハウス内に設置したセンサ、又はタイマ等の手段（ＳＴ−２）で指令があり、温風暖房機Ｂのファン１０５がＯＮ（稼動中）で、炭酸ガス発生機ＣがＯＮし、かつヒートポンプＤがＯＮした状態（ＳＴ−３ａ〜３ｃ）では、ＣＯ２、及び暖冷気が、受入ユニット２のミキシングエリアＥ（ＳＴ−４）に到る。ミキシングエリアＥにおいて、ハウスＡの空気と混合し、ＣＯ２混合空気、及び混合暖気、又は混合冷気が生成される（ＳＴ−５）。ＣＯ２混合空気、及び混合暖気、又は混合冷気は、吸込口１０３→通路１０２→排出口１０４→ダクトＦを経由して、ダクトＦの孔（図示せず）より、ＣＯ２混合空気、及び混合暖気、又は混合冷気を、供給、及び暖冷房を図って、環境設定する（ＳＴ−６）。尚、センサ、又はタイマ等の手段（ＳＴ−２）で指令があり、温風暖房機Ｂのファン１０５がＯＦＦ（停止中）で、炭酸ガス発生機ＣがＯＦＦし、かつヒートポンプＤがＯＦＦした状態（ＳＴ−３ａａ〜３ｃｃ）では、それぞれ終了である。
【００２８】
図５−２の状況では、温風暖房機Ｂに装備したファン１０５を稼動し、炭酸ガス発生機Ｃで生成したＣＯ２を、ハウスＡに供給する一例である。ヒートポンプＤは、ＯＦＦの状態とする（ＳＴ−３０ｃｃ）。温風暖房機Ｂのファン１０５が稼動中において、炭酸ガス発生機ＣからのＣＯ２が、第一配管６を経由し、受入ユニット２のミキシングエリアＥに到り、ミキシングエリアＥに開口する吸込口１０３より通路１０２を経由し、その排出口１０４からダクトＦに到るフローチャートを示している。スタート（ＳＴ−１０）→ハウス内に設置したセンサ、又はタイマ等の手段（ＳＴ−２０）で指令があり、温風暖房機Ｂのファン１０５がＯＮ（稼動中）で、炭酸ガス発生機ＣがＯＮした状態（ＳＴ−３０ａ、３０ｂ）では、ＣＯ２が、受入ユニット２のミキシングエリアＥ（ＳＴ−４０）に到る。ミキシングエリアＥにおいて、ハウスＡの空気と混合し、ＣＯ２混合空気が生成される（ＳＴ−５０）。ＣＯ２混合空気は、吸込口１０３→通路１０２→排出口１０４→ダクトＦを経由して、ダクトＦの孔（図示せず）より、ＣＯ２混合空気を供給し、環境設定する（ＳＴ−６０）。尚、センサ、又はタイマ等の手段（ＳＴ−２０）で指令があり、温風暖房機Ｂのファン１０５がＯＦＦ（停止中）で、炭酸ガス発生機ＣがＯＦＦした状態（ＳＴ−３０ａａ〜３０ｃｃ）では、それぞれ終了である。
【００２９】
図５−３の状況では、温風暖房機Ｂに装備したファン１０５を稼動し、ヒートポンプＤで生成した暖気、又は冷気を、ハウスＡに供給する一例である。炭酸ガス発生機Ｃは、ＯＦＦの状態とする（ＳＴ−３００ｂｂ）。温風暖房機Ｂのファン１０５が稼動中において、炭酸ガス発生機ＣからのＣＯ２が、第二配管８を経由し、受入ユニット２のミキシングエリアＥに到り、ミキシングエリアＥに開口する吸込口１０３より通路１０２を経由し、その排出口１０４からダクトＦに到るフローチャートを示している。スタート（ＳＴ−１００）→ハウス内に設置したセンサ、又はタイマ等の手段（ＳＴ−２００）で指令があり、温風暖房機Ｂのファン１０５がＯＮ（稼動中）で、ヒートポンプＤがＯＮした状態（ＳＴ−３００ａ、３００ｃ）では、ＣＯ２が、受入ユニット２のミキシングエリアＥ（ＳＴ−４０）に到る。ミキシングエリアＥにおいて、ハウスＡの空気と混合し、混合暖気、又は混合冷気が生成される（ＳＴ−５００）。混合暖気、又は混合冷気は、吸込口１０３→通路１０２→排出口１０４→ダクトＦを経由して、ダクトＦの孔（図示せず）より、混合暖気、又は混合冷気を供給し、環境設定する（ＳＴ−６００）。尚、センサ、又はタイマ等の手段（ＳＴ−２００）で指令があり、温風暖房機Ｂのファン１０５がＯＦＦ（停止中）で、ヒートポンプＤがＯＦＦした状態（ＳＴ−３００ａａ〜３００ｃｃ）では、それぞれ終了である。ピートポンプＤの稼動では、ハウスＡの戻り空気（ミキシングエリアＥにおける混合）の除湿を図ることも可能である。
【符号の説明】
【００３０】
Ａ              ハウス
Ａ１            妻面
Ｂ              温風暖房機
Ｂ１            四周側面
Ｃ              炭酸ガス発生装置
Ｄ              ヒートポンプ
Ｅ              ミキシングエリア
Ｆ              ダクト
１              本体
１００          バーナ
１０１          釜
１０２          通路
１０３          吸込口
１０４          排出口
１０５          ファン
２              受入ユニット
２００          縦杆
２０１          横杆
２０２          ジョイント具
２０３          カバー
３              開口
５              缶体
５０１          バーナ
５０２          吸込開口
５０３          吹出開口
６              第一配管
７              室内機
７００          吹出開口
８              第二配管
【図１】
2014140329.tif 000003
【図２−１】
2014140329.tif 000004
【図２−２】
2014140329.tif 000005
【図２−３】
2014140329.tif 000006
【図３−１】
2014140329.tif 000007
【図３−２】
2014140329.tif 000008
【図３−３】
2014140329.tif 000009
【図４−１】
2014140329.tif 000010
【図４−２】
2014140329.tif 000011
【図４−３】
2014140329.tif 000012
【図５−１】
2014140329.tif 000013
【図５−２】
2014140329.tif 000014
【図５−３】
2014140329.tif 000015